【事件の表示】
　特許第６６６７５６５号発明「ゲル状水性化粧料」の特許異議申立事件について、次のとおり決定する。
【結　論】
　特許第６６６７５６５号の請求項１〜１３に係る特許を維持する。
【理　由】
第１　手続の経緯
　特許第６６６７５６５号の請求項１〜１３に係る特許についての出願は、平成２６年９月３０日を出願日とする特願２０１４−２００９０３号の一部を、特許法第４４条第１項の規定により、平成３０年３月２９日に新たな特許出願としたものであり、令和２年２月２７日にその特許権の設定登録がされ、同２年３月１８日に特許掲載公報が発行された。その後、その特許に対し、令和２年９月１８日に特許異議申立人田中和幸（以下、「申立人」ともいう。）は、特許異議の申立てを行った。
　本件特許異議の申立てにおける手続の経緯は，以下のとおりである。
　　　令和　２年　９月１８日差出：　申立人による特許異議の申立て
　　　　　　　　１１月３０日付け：　取消理由通知書
　　　令和　３年　２月　５日差出：　意見書
第２　本件特許発明 
　特許第６６６７５６５号の請求項１〜１３の特許に係る発明は、それぞれ、その特許請求の範囲の請求項１〜１３に記載された事項により特定される次のとおりのものである。
「【請求項１】
　下記一般式（１）で表される化合物と、脂肪酸又はその塩と、水とを含有し、
　下記一般式（１）で表される化合物の含有量が、ゲル状水性化粧料の全質量に対して、０．５質量％〜１５質量％であり、
　下記一般式（１）で表される化合物は、ＰＥＧ−２４０／デシルテトラデセス−２０／ヘキサメチレンジイソシアネート　コポリマーであり、
　脂肪酸又はその塩の含有量が、脂肪酸換算で、ゲル状水性化粧料の全質量に対して０．０１質量％〜５質量％であり、かつ、下記一般式で表される化合物（１）１ｇに対して０．３３ミリモル〜０．８ミリモルであり、
　２５℃で測定したときの硬度が５ｇ〜３００ｇであり、　
　２５℃の水に対する溶解量が１質量％以下の液体成分の含有量が、ゲル状水性化粧料の全質量に対して、１０質量％以下であるゲル状水性化粧料。
【化１】
　一般式（１）中、Ｒ１は炭素数２〜３６でｍ価の炭化水素基を表し、Ｒ２及びＲ４は各々独立に炭素数１〜４で２価の炭化水素基を表し、Ｒ３はウレタン結合を有してもよい、直鎖、分岐鎖、又は脂肪族環若しくは芳香環を含むｈ＋１価の炭化水素基を表し、Ｒ５は２価の炭化水素基を表し、Ｒ６は水素原子又はヒドロキシ基を表す。ｍは２以上の整数であり、ｈは１以上の整数であり、ｋ及びｎは括弧内の構造の繰り返し数を表し、各々独立に０〜１０００の範囲の整数であり、ｋ及びｎの両方が０になることはない。
【請求項２】
　脂肪酸又はその塩の含有量が、脂肪酸換算で、ゲル状水性化粧料の全質量に対して０．０１質量％〜５質量％であり、かつ、一般式で表される化合物（１）１ｇに対して０．４ミリモル〜０．７ミリモルであり、
　２５℃で測定したときの硬度が１０ｇ〜２００ｇである請求項１に記載のゲル状水性化粧料。
【請求項３】
　２５℃で測定したときの硬度が１０ｇ〜２００ｇである請求項１に記載のゲル状水性化粧料。
【請求項４】
　脂肪酸骨格の炭素数が１０〜２２である脂肪酸又はその塩を含む請求項１〜請求項３のいずれか１項に記載のゲル状水性化粧料。
【請求項５】
　脂肪酸又はその塩における脂肪酸骨格の炭素数が１２〜２２である請求項１〜請求項４のいずれか１項に記載のゲル状水性化粧料。
【請求項６】
　脂肪酸骨格の炭素鎖が分岐鎖である脂肪酸又はその塩を含む請求項１〜請求項５のいずれか１項に記載のゲル状水性化粧料。
【請求項７】
　脂肪酸骨格の炭素鎖が二重結合又は三重結合を少なくとも１つ有する不飽和の炭素鎖である脂肪酸又はその塩を含む請求項１〜請求項５のいずれか１項に記載のゲル状水性化粧料。
【請求項８】
　脂肪酸又はその塩が、カプリン酸、ラウリン酸、ミリスチン酸、パルミチン酸、ステアリン酸、イソステアリン酸、オレイン酸及びベヘン酸から選ばれる少なくとも１つの脂肪酸又はその塩を含む請求項１〜請求項５のいずれか１項に記載のゲル状水性化粧料。
【請求項９】
　脂肪酸又はその塩が、オレイン酸及びイソステアリン酸から選ばれる少なくとも１つの脂肪酸又はその塩である請求項１〜請求項５のいずれか１項に記載のゲル状水性化粧料。
【請求項１０】
　水の含有量が、ゲル状水性化粧料の全質量に対して５０質量％〜９５質量％である請求項１〜請求項９のいずれか１項に記載のゲル状水性化粧料。
【請求項１１】
　更に、アスタキサンチン及びリコピンから選ばれる少なくとも１つを含有する請求項１〜請求項１０のいずれか１項に記載のゲル状水性化粧料。
【請求項１２】
　更に、アスコルビン酸誘導体を含有する請求項１１に記載のゲル状水性化粧料。
【請求項１３】
　アスコルビン酸誘導体がアスコルビルリン酸ナトリウムである請求項１２記載のゲル状水性化粧料。」
（以下、特許第６６６７５６５号の請求項１〜１３に係る発明を、その請求項に付された番号にしたがって、「本件特許発明１」〜「本件特許発明１３」のように記載し、また、これらをまとめて「本件特許発明」という。）
第３　取消理由の概要及び特許異議申立理由の概要 
１　令和　２年１１月３０日付け取消理由通知に記載した取消理由の概要
　請求項１〜３に係る特許に対して、当審が令和　２年１１月３０日付けで特許権者に通知した取消理由の要旨は、次のとおりである。
（１）取消理由１（特許法第２９条第１項第３号）
　本件特許発明１、４、５、７〜１１は、引用文献１に記載された発明であって、特許法第２９条第１項第３号に該当し、特許を受けることができないものであるから、これらの発明に係る特許は、同法第１１３条第２号に該当し、取り消されるべきものである。
（２）取消理由２（特許法第２９条第２項）
　本件特許発明１、４〜１３は、引用文献１に記載された発明及び技術常識に基いて、その出願前にその発明の属する技術の分野における通常の知識を有する者が容易に発明をすることができたものであり、本件特許発明１、４〜１３に係る特許は、特許法第２９条第２項の規定を満たしていない特許出願に対してされたものであるから、同法第１１３条第２号に該当し、取り消されるべきものである。
（３）刊行物
引用文献１　国際公開第２０１３／００２２７８号（申立人により提出された甲第２号証（以下、「甲２」という。）
２　申立理由の概要
　申立人は、以下の理由により、本件特許を取り消すべきものである旨主張する。
（１）申立理由１（新規性欠如）　　　　
　本件特許発明１、４、５、７〜１１は、甲第２号証に記載された発明であり、また、本件特許発明１、４、５、８、１０は、甲第３号証に記載された発明であり、特許法第２９条第１項第３号に該当するから、これらの発明に係る発明の特許は、同法第１１３条第２項に該当する。
（２）申立理由２（進歩性欠如）　　　　
　本件特許発明２、３、６、７、９、１１〜１３は、甲第１号証〜甲第７号証及び周知技術に基づいて、当業者が容易に発明をすることができたものであり、特許法第２９条第２項の規定により、特許を受けることができない発明であるから、これらの発明に係る特許は、同法第１１３条第２号に該当する。　　　　　　
　　　　　
（３）証拠方法
甲第１号証：特開２０１１−２３１０６１号公報（以下、「甲１」という。）
甲第２号証：国際公開第２０１３／００２２７８号（以下、「甲２」という。）
甲第３号証：特開２００２−０８０３２９号公報（以下、「甲３」という。） 
甲第４号証：特開２０１１−０５１９４４号公報（以下、「甲４」という。）
甲第５号証：特表２００４−５２８３５５号公報（以下、「甲５」という。）
甲第６号証：特開２０１４−０４０３８５号公報（以下、「甲６」という。）
甲第７号証：特開２０１３−０７１９２０号公報（以下、「甲７」という。）
第４　当審の判断
　取消理由通知に記載した取消理由、特許異議申立ての理由の順で、当審の判断を示す。
１　取消理由通知に記載した取消理由１（特許法２９条１項３号）及び取消理由２（特許法２９条２項）について
（１）引用文献１に記載された事項、及び、引用文献１に記載された発明
　引用文献１には以下の事項が記載されている。
ア「[0001] 本発明は、アスタキサンチン含有組成物及びその製造方法、並びに、該アスタキサンチン含有組成物を含む化粧料に関する。
[0002] 近年、カロチノイド類の高い機能性に着目して、食品、化粧品、医薬品の原材料、及びそれらの加工品等へ添加することが検討・実施されている。
[0003] カロチノイド類の一種であるアスタキサンチンは、自然界では動植物界に広く分布しており、主として養殖魚や養鶏の色揚げ剤として使用されている。また、アスタキサンチンには、酸化防止効果、抗炎症効果、皮膚老化防止効果、シミやしわの形成予防効果などの機能を有することが知られており、アスタキサンチンを適用して種々の組成物が開示されている（特開平２−４９０９１号公報、特開平５−１５５７３６号公報、特開２００５−４７８６０号公報、特開２００５−２８５５９号公報、特開２００７−１６０２８７号公報参照。）。また、特開２０００−２２９８２７号公報には、水性液体に対して優れた溶解性を示すリコピン複合体を主成分として含むトマト色素が、皮膚表面及び皮膚内での過酸化脂質の生成及び肌の炎症、黒化、シワ、タルミ等の老化現象を防止する効果を有することが開示されている。
[0004] しかしながら、アスタキサンチン、リコピンなどのカロチノイド類は、不安定な構造で酸化分解を受け易いことから、これを含有する組成物における保存安定性の低下は特に問題となる。また、リコピンについては結晶性が高く、これを含有する組成物を経時させた場合において、結晶体が組成物中に析出して保存安定性を低下するという問題もある。
　従って、アスタキサンチン、リコピンのようなカロチノイド類を含有する組成物には、更なる保存安定性の向上が望まれているが、未だ提供されていないのが現状である。
[0005] 本発明は、前記の状況に鑑みなされたものであり、保存安定性に優れたアスタキサンチン含有組成物及びその製造方法、並びに、該アスタキサンチン含有組成物を含む保存安定性に優れた化粧料を提供することを課題とする。
課題を解決するための手段
[0006] 本発明は以下のとおりである。
[１] アスタキサンチン１００質量部と、リコピン０．１〜１０００質量部と、トコフェロール２００〜１００００００質量部と、を含むアスタキサンチン含有組成物。
[２] リコピンが、トマトパルプ由来の脂溶性抽出物である［１］に記載のアスタキサンチン含有組成物。
[３] オイル組成物又は乳化組成物である［１］又は［２］に記載のアスタキサンチン含有組成物。
[４] 更に油剤を含む、[１]〜[３]のいずれかに記載のアスタキサンチン含有組成物。
[５] アスタキサンチン１００質量部と、リコピン１〜２００質量部と、トコフェロール１００００〜１００００００質量部と、を含む[１]〜[４]のいずれか１つに記載のアスタキサンチン含有組成物。
[６] アスタキサンチン１００質量部と、リコピン１〜２００質量部と、トコフェロール２００〜５０００質量部と、組成物全量に対して１２質量％以下の油剤とを含む、[１]〜[４]のいずれか１つに記載のアスタキサンチン含有組成物。
[７] 油剤が、ステアリン酸ポリグリセリル、オレイン酸ポリグリセリル、イソステアリン酸ポリグリセリル、ステアリン酸ポリオキシエチレン、イソステアリン酸ポリオキシエチレン、ポリオキシエチレンフィトステロール、エチルヘキサン酸セチル、スクワラン及びオレイン酸からなる群より選択される少なくとも１つである、 [６]に記載のアスタキサンチン含有組成物。
[８] [１]〜[７]のいずれか１つに記載のアスタキサンチン含有組成物を含む化粧料。
[９] アスタキサンチン１００質量部と、リコピン０．１〜１０００質量部と、トコフェロール２００〜１００００００質量部とを含む油相を調製すること、及び、調製された油相と水相成分を含む水相とを混合して乳化組成物を得ること、を含むアスタキサンチン含有組成物の製造方法。
[0007] 本発明によれば、保存安定性に優れたアスタキサンチン含有組成物及びその製造方法、並びに、該アスタキサンチン含有組成物を含む保存安定性に優れた化粧料を提供することができる。
[0008] 本発明のアスタキサンチン含有組成物は、（Ａ）アスタキサンチン１００質量部と、（Ｂ）リコピン０．１〜１０００質量部と、（Ｃ）トコフェロール２００〜１００００００質量部と、を含むアスタキサンチン含有組成物である。
[0009] 本発明のアスタキサンチン含有組成物は、アスタキサンチン、リコピン、及びトコフェロールを特定の量で含有することにより、アスタキサンチン及びリコピンの分解、及び、リコピン結晶の系中における析出が効果的に抑制される。その結果、本発明のアスタキサンチン含有組成物は優れた保存安定性を有するものとなる。」
イ「[0033] (D) 他の成分
　本発明のアスタキサンチン含有組成物には、本発明の効果を阻害しない範囲内で、他の成分を含んでもよい。
[0034]　 他の成分は、本発明の組成物の形態、目的などに応じて適宜選択することができる。他の成分の好適な例としては、例えば、油剤、機能性油性成分、乳化剤、その他の添加成分などが挙げられる。
......
[0040] 　本発明のアスタキサンチン含有組成物を乳化組成物とした場合においては、本発明で用いられる好ましい油剤としては、モノステアリン酸ヘキサグリセリル、モノオレイン酸ヘキサグリセリル、ジステアリン酸デカグリセリル、ジイソステアリン酸デカグリセリル、ステアリン酸ポリグリセリル−２、モノステアリン酸ＰＯＥ（５） 、ＰＯＥ（５）フィトステロール、エチルヘキサン酸セチル、スクワラン、オレイン酸などが挙げられる。また、油剤としてはステアリン酸ポリグリセリル、オレイン酸ポリグリセリル、イソステアリン酸ポリグリセリル、ステアリン酸ポリオキシエチレン、イソステアリン酸ポリオキシエチレン、ポリオキシエチレンフィトステロール、エチルヘキサン酸セチル、スクワラン及びオレイン酸なども好ましい。
これらの油剤は、１種単独で使用してもよく、２種以上を併用してもよい。
……
[0043] (機能性油性成分）
　機能性油性成分としては、水性媒体に溶解せず、油性媒体に溶解する油溶性成分であれば、特に限定はなく、目的に応じた物性や機能性を有するものを適宜選択して使用することができる。該他の油性成分としては、通常、紫外線吸収剤、抗炎症剤、保湿剤、毛髪保護剤、美白剤、抗シミ剤、細胞賦活剤、エモリエント剤、角質溶解剤、帯電防止剤、脂溶性ビタミン類（前記トコフェロールを除く。）、メタボリックシンドローム改善剤、降圧剤、鎮静剤などとして使用されているものが挙げられる。
　ここで、機能性油性成分とは、生物体内に存在した場合に生体において所望の生理学的作用の発揮が記載され得る油性成分を意味する。
[0044]　 機能性油性成分の例としては、天然型セラミド類、スフィンゴ糖脂質などの糖修飾セラミドなどセラミド及びセラミド類縁体を含むセラミド類、オリーブ油、ツバキ油、マカデミアナッツ油、ヒマシ油、ココナッツ油などの油脂類、流動パラフィン、パラフィン、ワセリン、セレシン、マイクロクリスタリンワックス、スクワランなどの炭化水素、カルナウバロウ、キャンデリラロウ、ホホバ油、ミツロウ、ラノリンなどのロウ類、ミリスチン酸イソプロピル、ミリスチン酸2ーオクチルドデシル、2ーエチルヘキサン酸セチル、リンゴ酸ジイソステアリルなどのエステル類、パルミチン酸、ステアリン酸、イソステアリン酸などの脂肪酸類、セチルアルコール、ステアリルアルコール、イソステアリルアルコール、2ーオクチルドデカノールなどの高級アルコール類、メチルポリシロキサン、メチルフェニルポリシロキサンなどのシリコン油、グリセリンの脂肪酸エステル類、その他、高分子類、他のカロチノイド類などの油溶性色素類、油溶性蛋白質などを挙げることができる。また、それらの混合物である各種の植物由来油、動物由来油も含まれる。」
ウ　「[0054] 　他の添加成分としては、例えば、グリセリン、１，３−ブチレングリコール等の多価アルコール；グルコース、果糖、乳糖、麦芽糖、ショ糖、ペクチン、カッパーカラギーナン、ローカストビーンガム、グアーガム、ヒドロキシプロピルグアガム、キサンタンガム、カラヤガム、タマリンド種子多糖、アラビアガム、トラガカントガム、ヒアルロン酸、ヒアルロン酸ナトリウム、コンドロイチン硫酸ナトリウム、デキストリン等の単糖類又は多糖類；ソルビトール、マンニトール、マルチトール、ラクトース、マルトトリイトール、キシリトールなどの糖アルコール；塩化ナトリウム、硫酸ナトリウムなどの無機塩；カゼイン、アルブミン、メチル化コラーゲン、加水分解コラーゲン、水溶性コラーゲン、ゼラチン等の分子量５０００超のタンパク質；グリシン、アラニン、バリン、ロイシン、イソロイシン、セリン、スレオニン、アスパラギン酸、グルタミン酸、シスチン、メチオニン、リジン、ヒドロキシリジン、アルギニン、ヒスチジン、フェニルアラニン、チロシン、トリプトファン、プロリン、ヒドロキシプロリン、アセチルヒドロキシプロリン等のアミノ酸及びそれらの誘導体；カルボキシビニルポリマー、ポリアクリル酸ナトリウム、ポリビニルアルコール、ポリエチレングリコール、酸化エチレン・酸化プロピレンブロック共重合体等の合成高分子；ヒドロキシエチルセルロース・メチルセルロース等の水溶性セルロース誘導体；フラボノイド類（カテキン、アントシアニン、フラボン、イソフラボン、フラバン、フラバノン、ルチン）、アスコルビン酸又はその誘導体（アスコルビン酸、アスコルビン酸ナトリウム、アスコルビン酸カリウム、アスコルビン酸カルシウム、Ｌ−アスコルビン酸リン酸エステル、リン酸アスコルビルマグネシウム、リン酸アスコルビルナトリウム、硫酸アスコルビル、硫酸アスコルビル２ナトリウム塩、及びアスコルビル−２−グルコシド等）、トコトリエノール及びその誘導体、フェノール酸類（クロロゲン酸、エラグ酸、没食子酸、没食子酸プロピル）、リグナン類、クルクミン類、クマリン類、プテロスチルベン等を含むヒドロキシスチルベン、などを挙げることができ、その機能に基づいて、例えば機能性成分、賦形剤、粘度調整剤、ラジカル捕捉剤などとして含んでもよい。
　その他、本発明においては、例えば、種々の薬効成分、ｐＨ調整剤、ｐＨ緩衝剤、紫外線吸収剤、防腐剤、香料、着色剤など、通常、その用途で使用される他の添加物を併用することができる。」
エ 「[0119] [実施例２３； ジェリー様美容液］
下記組成を有するジェリー様美容液を常法により調製した（全量１００質量％）。
（成分） 　　　　　　　　　　　　　　　　　　　　　　　　（質量％）
トマト抽出物（リコピン６％含有）　　　　　　　　　　　　　　０．０１
ヘマトコッカス藻抽出物（アスタキサンチン２０％含有）　　　　０．０２
トコフェロール　　　　　　　　　　　　　　　　　　　　　　　０．０１
セラミドＩＩＩ、ＶＩ (ＬｏｇＰ＝６．６以上）　　　　　　　　０．０１
（ＰＥＧ−２４０／デシルテトラデセス−２０／ＨＤＩ) コポリマー０．５
加水分解コラーゲン　　　　　　　　　　　　　　　　　　　　　１．０
アセチルヒドロキシプロリン　　　　　　　　　　　　　　　　　１．０
エチルヘキシルグリセリン（ＬｏｇＰ＝１．９３）　　　　　　　０．０５
オレイン酸（ＬｏｇＰ＝６．３６）　　　　　　　　　　　　　　０．０５
１，３−ブチレングリコール　　　　　　　　　　　　　　　　　１．０
グリセリン　　　　　　　　　　　　　　　　　　　　　　　　　２．０
メチルパラベン（ＬｏｇＰ＝１．９６）　　　　　　　　　　　　０．３
ステアリン酸スクロース（ＨＬＢ＝５）　　　　　　　　　　　　０．０１
オレイン酸ポリグリセリル−１０（ＨＬＢ＝１２）　　　　　　　０．０１ステアリン酸ポリグリセリル−２（ＨＬＢ＝５）　　　　　　　　０．０１
フェノキシエタノール　　　　　　　　　　　　　　　　　　　　０．２
コラーゲン　　　　　　　　　　　　　　　　　　　　　　　　　１．０
クエン酸ナトリウム　　　　　　　　　　　　　　　　　　　　　１．０
ダマスクバラ花油　　　　　　　　　　　　　　　　　　　　　　適量
香料　　　　　　　　　　　　　　　　　　　　　　　　　　　　適量
精製水　　　　　　　　　　　　　　　　　　　　　　　　　　　残量」
オ　引用文献１には、特に上記エの記載からみて、以下の発明が記載されている。
「下記組成を有するジェリー様美容液　　　　　　　（全量１００質量％）
トマト抽出物（リコピン６％含有）　　　　　　　　　　　　　　０．０１
ヘマトコッカス藻抽出物（アスタキサンチン２０％含有）　　　　０．０２
トコフェロール　　　　　　　　　　　　　　　　　　　　　　　０．０１
セラミドＩＩＩ、ＶＩ (ＬｏｇＰ＝６．６以上）　　　　　　　　０．０１
（ＰＥＧ−２４０／デシルテトラデセス−２０／ＨＤＩ) コポリマー０．５
加水分解コラーゲン　　　　　　　　　　　　　　　　　　　　　１．０
アセチルヒドロキシプロリン　　　　　　　　　　　　　　　　　１．０
エチルヘキシルグリセリン（ＬｏｇＰ＝１．９３）　　　　　　　０．０５
オレイン酸（ＬｏｇＰ＝６．３６）　　　　　　　　　　　　　　０．０５
１，３−ブチレングリコール　　　　　　　　　　　　　　　　　１．０
グリセリン　　　　　　　　　　　　　　　　　　　　　　　　　２．０
メチルパラベン（ＬｏｇＰ＝１．９６）　　　　　　　　　　　　０．３
ステアリン酸スクロース（ＨＬＢ＝５）　　　　　　　　　　　　０．０１
オレイン酸ポリグリセリル−１０（ＨＬＢ＝１２）　　　　　　　０．０１ステアリン酸ポリグリセリル−２（ＨＬＢ＝５）　　　　　　　　０．０１
フェノキシエタノール　　　　　　　　　　　　　　　　　　　　０．２
コラーゲン　　　　　　　　　　　　　　　　　　　　　　　　　１．０
クエン酸ナトリウム　　　　　　　　　　　　　　　　　　　　　１．０
ダマスクバラ花油　　　　　　　　　　　　　　　　　　　　　　適量
香料　　　　　　　　　　　　　　　　　　　　　　　　　　　　適量
精製水　　　　　　　　　　　　　　　　　　　　　　　　　　　残量」
（以下、「引用発明」という。）
（２）対比・判断
ア　本件特許発明１について
　本件特許発明１と引用発明を対比する。
　引用発明の「（ＰＥＧ−２４０／デシルテトラデセス−２０／ＨＤＩ）コポリマー」、「オレイン酸」は、本件特許発明１における「ＰＥＧ−２４０／デシルテトラデセス−２０／ヘキサメチレンジイソシアネート　コポリマー」、「脂肪酸」にそれぞれ相当し、それらの含有量は、本件特許発明１における含有量の範囲内であり、さらに、オレイン酸の含有量は、（ＰＥＧ−２４０／デシルテトラデセス−２０／ＨＤＩ）コポリマー１ｇに対して約０．３５４ミリモルであるから、本件特許発明１における０．３３ミリモル〜０．８ミリモルの範囲内である点において、一致する。
　また、引用発明における水の含有量は、「９１．８２質量％−香料の含有量−ダマスクバラ花油の含有量」である。ここで、引用発明において「ダマスクバラ花油」と「香料」の配合量は「適量」とされており、「精製水」の含有量は「残量」とされているものの、「ダマスクバラ花油」も「香料」も化粧料においてごく微量配合される成分であるという本件出願時の技術常識を参照すれば、「精製水」の含有量は明らかに５０質量％を上回るものであるから、引用発明の「ジェリー様美容液」は、本件特許発明１における「ゲル状水性化粧料」に相当する。　
　また、引用発明における「セラミドＩＩＩ」、「セラミドＶＩ」、「エチルヘキシルグリセリン」、「オレイン酸」、「メチルパラベン」、「ステアリン酸スクロース」、「オレイン酸ポリグリセリル−１０」、「ステアリン酸ポリグリセリル−２」、「アスタキサンチン」、「リコピン」、「ダマスクバラ花油」は、本件特許発明１における「２５℃の水に対する溶解量が１質量％以下の液体成分」に相当するところ、「ダマスクバラ花油」も「香料」も化粧料においてごく微量配合される成分であるという本件出願時の技術常識を参照すれば、引用発明における「２５℃の水に対する溶解量が１質量％以下の液体成分」の含有量は、明らかに１０質量％以下であると認められる。
　そうすると、本件特許発明１と引用発明との一致点と相違点は以下のとおりである。
＜一致点＞
「下記一般式（１）で表される化合物と、脂肪酸又はその塩と、水とを含有し、
　下記一般式（１）で表される化合物の含有量が、ゲル状水性化粧料の全質量に対して、０．５質量％〜１５質量％であり、
　下記一般式（１）で表される化合物は、ＰＥＧ−２４０／デシルテトラデセス−２０／ヘキサメチレンジイソシアネート コポリマーであり、
　脂肪酸又はその塩の含有量が、脂肪酸換算で、ゲル状水性化粧料の全質量に対して０．０１質量％〜５質量％であり、かつ、下記一般式で表される化合物（１）１ｇに対して０．３３ミリモル〜０．８ミリモルであり、
　２５℃の水に対する溶解量が１質量％以下の液体成分の含有量が、ゲル状水性化粧料の全質量に対して、１０質量％以下であるゲル状水性化粧料。
【化１】
　一般式（１）中、Ｒ１は炭素数２〜３６でｍ価の炭化水素基を表し、Ｒ２及びＲ４は各々独立に炭素数１〜４で２価の炭化水素基を表し、Ｒ３はウレタン結合を有してもよい、直鎖、分岐鎖、又は脂肪族環若しくは芳香環を含むｈ＋１価の炭化水素基を表し、Ｒ５は２価の炭化水素基を表し、Ｒ６は水素原子又はヒドロキシ基を表す。ｍは２以上の整数であり、ｈは１以上の整数であり、ｋ及びｎは括弧内の構造の繰り返し数を表し、各々独立に０〜１０００の範囲の整数であり、ｋ及びｎの両方が０になることはない。」
＜相違点＞
　本件特許発明１は、「２５℃で測定したときの硬度が５ｇ〜３００ｇである」ことが特定されているのに対して、引用発明では特定されていない。
　
　以下、相違点について検討する。
（ア）上述のとおり、引用発明においては、「２５℃で測定したときの硬度が５ｇ〜３００ｇである」ことは記載されていないから、この点において、本件特許発明１と相違しており、このことは、令和　３年　２月　５日差出の意見書における実験成績証明書（乙第１号証）において、引用発明とほぼ同一組成の組成物Ａの硬度が２ｇであったことにより裏付けられている。
　したがって、本件特許発明１は、引用文献１に記載された発明ではない。
（イ）次に、相違点の容易想到性について検討する。
　引用発明のジェリー様美容液に関して、被請求人が提出した乙第１号証によればその硬度が２ｇ程度であることが理解できるものであるが、引用文献１には、摘記事項ア〜ウなどの記載を見ても、その硬度をより高い「２５℃で測定したときの硬度が５〜３００ｇ」とする動機づけが記載されているわけではなく、また、引用発明のジェリー様美容液の硬度をさらに高めて前記特定の範囲とするような技術常識も存在しない。
　そうすると、引用発明において、「２５℃で測定したときの硬度が５〜３００ｇ　」とすることは、当業者が容易になし得たことではない。
　したがって、本件特許発明１は、引用文献１に記載された発明及び技術常識に基づいて、当業者が容易に発明をすることができたものではない。
イ　本件特許発明４、５、７〜１１について
　請求項１を引用する本件特許発明４、５、７〜１１については、上記アと同様の理由により、引用文献１に記載された発明ではなく、引用文献１に記載された発明及び技術常識に基づいて、当業者が容易に発明をすることができたものではない。
ウ　本件特許発明６、１２、１３
　本件特許発明６は、請求項１〜５を引用し、また、本件特許発明１２、１３は、請求項１１を直接又は間接的に引用するものであるところ、上記ア、イにおいて検討したように、本件特許発明１〜５、１１は新規性があり、かつ、進歩性を有するから、これらをさらに限定する本件特許発明６、１２、１３も同様に進歩性を有するものであり、引用文献１に記載された発明及び技術常識に基づいて、当業者が容易に想到し得たものではない。
（３）まとめ
　よって、本件特許発明１〜１３に係る特許は、取消理由通知で通知した理由によっては、特許法第１１３条第２号に該当せず、取り消されるべきものではない。
２　取消理由通知において採用しなかった特許異議申立理由について
（１）　取消理由通知で採用しなかった異議申立理由の概略
　取消理由通知で採用しなかった異議申立理由の概略は、申立理由１（新規性）、申立理由２（進歩性）のうち、以下の理由である。
ア　申立理由１
　本件特許発明１、４、５、８、１０は、技術常識（甲第１、２、４〜７号証に記載された事項）によれば、甲第３号証に記載された発明であり、特許法第２９条第１項第３号に該当するものであるから、これらの発明に係る特許は、同法第１１３条第２号に該当する。
イ　申立理由２
（ア）　本件特許発明２、３、６、７、９、１２、１３は、甲第３号証に記載された発明及び周知技術（甲第１、２、４〜７号証に記載された事項）に基づいて、当業者が容易に発明をすることができたものであり、特許法第２９条第２項の規定により、特許を受けることができない発明であるから、これらの発明に係る特許は、同法第１１３条第２号に該当する。
（イ）　本件特許発明１１は、甲第３号証に記載された発明並びに甲第２号証に記載された事項及び周知技術（甲第1、２、４〜７号証に記載された事項）に基づいて、当業者が容易に発明をすることができたものであり、特許法第２９条第２項の規定により、特許を受けることができない発明であるから、本件特許発明１１に係る特許は、同法第１１３条第２号に該当する。
（ウ）本件特許発明２、３は、甲第２号証に記載された発明及び甲第３号証に記載された事項に基づいて、当業者が容易に発明をすることができたものであり、特許法第２９条第２項の規定により、特許を受けることができない発明であるから、これらの発明に係る特許は、同法第１１３条第２号に該当する。
（２）　引用文献に記載された事項及び引用発明
ア　甲２に記載された事項、及び、甲２に記載された発明
　甲２は、取消理由における引用文献１であり、甲２には、上記１（１）ア〜オで指摘した事項が記載されている。さらに、加えて、[0037]、[0041]には、次の記載もある。
（カ）[0037]　ＬｏｇＰ値で判断される油剤としては低分子化合物が一般的であるが、本発明においては、特に限定されない。
　ＬｏｇＰ値で判断される油剤の例としては、エチルヘキシルグリセリン(ＬｏｇＰ＝１．９３)、メチルパラベン（ＬｏｇＰ＝１．９６）、エチルヘキサン酸エチル（ＬｏｇＰ＝２．８５）、ラウリン酸（ＬｏｇＰ＝４．１）、ミリスチン酸（ＬｏｇＰ＝４．９）、ステアリン酸（ＬｏｇＰ＝６．６１）、オレイン酸（ＬｏｇＰ＝６．３６）、デカン酸（ＬｏｇＰ＝３．２７）、メトキシケイ皮酸エチルヘキシル（ＬｏｇＰ＝４．９６）、スクワラン（ＬｏｇＰ＝１２．５）などが挙げられる。
　ＬｏｇＰ値は、一般的には分子構造から計算で求めることができる。本発明では、ＣｈｅｍＤｒａｗＰｒｏ(ＣａｍｂｒｉｄｇｅＳｏｆｔ社)で算出された値を流用するが、これに限定されるものではない。
（キ）[0041] 　本発明のアスタキサンチン含有組成物を乳化組成物とした場合、油剤の含有量としては、組成物全質量に対して１２質量％以下であることが好ましい。また、０．１質量％以上１２質量％以下がより好ましく、０．３質量％以上１０質量％以下がさらに好ましい。
（ク）　甲２には、特に上記１（１）エの記載からみて、以下の発明が記載されている。
「下記組成を有するジェリー様美容液　　　　　　　（全量１００質量％）
トマト抽出物（リコピン６％含有）　　　　　　　　　　　　　　０．０１
ヘマトコッカス藻抽出物（アスタキサンチン２０％含有）　　　　０．０２
トコフェロール　　　　　　　　　　　　　　　　　　　　　　　０．０１
セラミドＩＩＩ、ＶＩ (ＬｏｇＰ＝６．６以上）　　　　　　　　０．０１
（ＰＥＧ−２４０／デシルテトラデセス−２０／ＨＤＩ) コポリマー０．５
加水分解コラーゲン　　　　　　　　　　　　　　　　　　　　　１．０
アセチルヒドロキシプロリン　　　　　　　　　　　　　　　　　１．０
エチルヘキシルグリセリン（ＬｏｇＰ＝１．９３）　　　　　　　０．０５
オレイン酸（ＬｏｇＰ＝６．３６）　　　　　　　　　　　　　　０．０５
１，３−ブチレングリコール　　　　　　　　　　　　　　　　　１．０
グリセリン　　　　　　　　　　　　　　　　　　　　　　　　　２．０
メチルパラベン（ＬｏｇＰ＝１．９６）　　　　　　　　　　　　０．３
ステアリン酸スクロース（ＨＬＢ＝５）　　　　　　　　　　　　０．０１
オレイン酸ポリグリセリル−１０（ＨＬＢ＝１２）　　　　　　　０．０１ステアリン酸ポリグリセリル−２（ＨＬＢ＝５）　　　　　　　　０．０１
フェノキシエタノール　　　　　　　　　　　　　　　　　　　　０．２
コラーゲン　　　　　　　　　　　　　　　　　　　　　　　　　１．０
クエン酸ナトリウム　　　　　　　　　　　　　　　　　　　　　１．０
ダマスクバラ花油　　　　　　　　　　　　　　　　　　　　　　適量
香料　　　　　　　　　　　　　　　　　　　　　　　　　　　　適量
精製水　　　　　　　　　　　　　　　　　　　　　　　　　　　残量」
（以下、「甲２発明」という。）
イ　甲３に記載された事項、及び、甲３に記載された発明
（ア）　「【０００１】
【発明の属する技術分野】本発明は毛髪処理剤組成物に関する。さらに詳しくは、粘度の温度安定性が高く、優れた使用感を有する毛髪処理剤組成物、特に毛髪コンディショニング剤に関する。
【０００２】
【従来の技術】毛髪になめらかさや光沢を付与し、くし通りをよくするためのいわゆるコンディショニング効果を持つ毛髪処理剤組成物は、一般に、ヘアーリンス、ヘアートリートメント、ヘアーコンディショナー、ヘアーパック等の名称で市販されている。
【０００３】これらの毛髪処理剤組成物の多くには主成分として第４級アンモニウム塩が配合されており、これが毛髪に吸着することにより、前記のコンディショニング効果が得られることは公知の事実である。
【０００４】また、光沢、なめらかさ、しっとり感、まとまりやすさ等を向上させる目的で、高級アルコールを配合して第４級アンモニウム塩とのいわゆるゲル状の複合体を形成させ、さらには、液状油分、ワックス、シリコーン化合物、天然および合成高分子を適時添加することも公知である。
【０００５】
【発明が解決しようとする課題】しかしながら、従来の毛髪処理剤組成物は、塗布時及びすすぎ時においては毛髪をべたつかせずになめらかさ等を付与することができても、すすぎ後のタオルドライ時、毛髪を乾燥させる際、さらに乾燥後において、十分に満足することのできるなめらかさ及びまとまりやすさの効果を付与することが困難であった。
【０００６】また、上述の毛髪コンディショニング剤においては、多くの場合、コンディショニング成分として第４級アンモニウム塩と高級アルコールとの複合体を応用しているが、調製される製品の粘度は、これらの配合量、配合比率によって決定されるため、処方上、制約が多く、所望の粘性に調整し、しかも使用感触を調整することは非常に困難であった。
【０００７】さらに、上述の第４級アンモニウム塩と高級アルコールの複合体は、調製法により形成される構造がラメラ〜ベシクル状に変化し、一定の粘性に調整することは困難であるばかりか、このような複合体を含有する毛髪コンディショニング剤の粘度の温度依存性は、上述の複合体の融点に密接に関連しており、具体的には融点付近の温度で急速に減粘が認められ、それに伴い製品の安定性も急激に低下する。
【０００８】一方、上述のような問題を解決する目的で、化粧料等で汎用される増粘剤、例えば、カルボキシビニルポリマーやキサンタンガムなどのいわゆる高分子増粘剤をこれらの毛髪処理剤組成物に配合した場合には、さまざまな不都合を生じる。例えば、これらの高分子増粘剤の多くはアニオン性の高分子電解質であり、毛髪コンディショニング剤に配合されるカチオン性界面活性剤と複合体を形成し沈殿を生じるため、製品の安定性及び外観上好ましくない。また、アニオン性以外の高分子増粘剤を配合した場合、洗い流した後に、高分子特有のぬめりなど使用感上好ましくない性質が現れる。
【０００９】さらに近年、化粧行動中における製品特性の評価に感性工学的手法が取り入れられ、さまざまな要因が、消費者の製品の嗜好に関係していることが分かってきた。特に毛髪コンディショニング剤においては、従来、洗い流し時、タオルドライ後、乾燥後の感触を向上させるべく、さまざまな検討がなされてきたが、上述の新たな検討手法を用いることで、消費者は製品を手に取り出す感触から、毛髪に塗布して伸ばす過程にも大きな関心を払っていることが分かってきた。このような過程では、製品の流動特性（レオロジー特性）を消費者に好まれるように調整することが重要となる。そのためにも適度な粘性を有する流動特性に優れた毛髪処理剤組成物が望まれている。
【００１０】本発明者等は上述の課題に鑑みて鋭意研究を重ねた結果、水溶性媒体中において会合し、それによってその水溶性媒体の粘度を増加させることができる疎水変性ポリエーテルウレタンと、カチオン性界面活性剤とを含有する組成物が、上記課題を解決し、毛髪処理剤組成物として優れた性能を示すことを見出し、本発明を完成するに至った。
【００１１】本発明の目的は、粘度の温度安定性が高く、優れた流動特性を有し、乾燥後に、毛髪をなめらかでまとまりやすくし、優れた使用感を有する毛髪処理剤組成物を提供することにある。
【００１２】
【課題を解決するための手段】すなわち、本発明は、下記の成分（Ａ）及び（Ｂ）を含有することを特徴とする毛髪処理剤組成物を提供するものである。
（Ａ）下記の一般式（１）で表される疎水変性ポリエーテルウレタン
【化４】
R1−{(O−R2)k−OCONH−R3[−NHCOO−(R4−O)n−R5]h}m （１）
〔式中、Ｒ1、Ｒ2及びＲ4は、互いに同一でも異なっても良い炭化水素基を表し、Ｒ3はウレタン結合を有しても良い炭化水素基を表し、Ｒ5は直鎖、分岐鎖又は２級の炭化水素基（炭素原子数２４以上。好ましくは炭素原子数２４。）を表し、ｍは２以上の数であり、ｈは１以上の数であり、ｋ及びｎは独立に０〜１０００の範囲の数である〕
（Ｂ）カチオン性界面活性剤」
（イ）「【００５４】本発明にかかる毛髪処理剤組成物には、上記疎水変性ポリエーテルウレタンを０．１〜１０重量％配合することが好適である。配合量が０．１重量％より少ない場合には添加効果が認められないことがあり、１０重量％より多い場合には、粘度が高くなりすぎて、製造時の取り扱いに不都合を生じるようになり、作業効率が低下したり、実使用時に容器からの取り出しに不都合を生じたり、毛髪塗布時の伸びが悪くなる場合がある。」
（ウ）「【００５８】カチオン性界面活性剤の配合量としては毛髪処理剤組成物全量中、０．０１〜１０重量％であることが好ましい。すなわち、０．０１重量％未満の配合量では、毛髪のなめらかさが得られない。また、１０重量％より多い配合量では、界面活性剤の溶解性が不十分で飽和濃度以上の析出が見られる場合があったり、コンデョショニング効果の濃度依存性が見られなくなり、実質的にこれ以上の配合は無意味になる。」
（エ）「【００５９】本発明の毛髪処理剤組成物には、さらに高級アルコール及び／又は高級脂肪酸を含有することが好ましい。
【００６０】高級アルコールの具体例としては、例えば、デシルアルコール、ラウリルアルコール、セチルアルコール、ステアリルアルコール、ベヘニルアルコール、ミリスチルアルコール、オレイルアルコール、セトステアリルアルコール等の直鎖アルコール、モノステアリルグリセリンエーテル（バチルアルコール）、２−デシルテトラデシルアルコール、ラノリンアルコール、コレステロール、フィトステロール、ヘキシルドデカノール、イソステアリルアルコール、オクチルドデカノール等の分岐鎖アルコール等が挙げられ、特に、セチルアルコール、ステアリルアルコール、ベヘニルアルコールが好ましく使用される。
【００６１】高級脂肪酸の具体例としては、例えば、デカン酸、ラウリン酸、ミリスチン酸、パルミチン酸、ステアリン酸、ベヘニン酸、オレイン酸、１２−ヒドロキシステアリン酸、ウンデシレン酸、トール酸、イソステアリン酸、リノール酸、リノレン酸、エイコサペンタエン酸、ドコサヘキサエン酸が挙げられ、特に、ステアリン酸、パルミチン酸、ミリスチン酸、オレイン酸、イソステアリン酸、１２−ヒドロキシステアリン酸、ベヘニン酸が好ましく使用される。
【００６２】上記高級アルコール及び／又は高級脂肪酸は、カチオン性界面活性剤と高級アルコール及び／又は高級脂肪酸とのモル比が１：２〜１：１０となるように配合されることが好ましく、さらに好ましくは、１：３〜１：５となるように配合される。」
（オ）「【００６３】「粘性」本発明の毛髪処理剤組成物の粘度は、２５℃、１ｓ−１で測定して１〜１０Ｐａ・ｓであるか、又は、２５℃、１００ｓ−１で測定して０．１〜１Ｐａ・ｓであることが好ましい。両者を満たすことが好ましい。２５℃、１ｓ−１の測定条件（低ずり速度）では上記の高粘度の範囲が好ましい。上記範囲以外の粘度では、容器からの取り出しが困難になり、塗りのばし時の伸びが悪くなるなど、使用に不都合を生じるようになることがある。２５℃、１００ｓ−１の測定条件（高ずり速度）では上記の低粘度の範囲が好ましい。上記範囲以外の粘度では、使用場面で毛髪処理剤組成物を手に取った場合、垂れ落ち等を生じるとともに、組成物が希薄な印象を与え、いわゆるリッチな感触を与えることが困難になる。上記の粘度は、一般式（１）の特定の疎水変性ポリエーテルウレタンにより、容易に達成できる。粘度の測定法としては、市販のコーンプレート型又は二重円筒型粘度計、例えばＣａｒｒｉ−Ｍｅｄ社製ＣＳＬ−１００等を用いて測定することができる。」
（カ）「【００６８】実施例に先だって、疎水変性ポリエーテルウレタンの製造例について示す。
＜製造例Ａ＞温度計、窒素導入管及び攪拌機を付した容器１０００ｍＬの４つ口フラスコにポリエチレングリコール（ＰＥＧ）（分子量約１１０００）（Ｒ１−[(Ｏ−Ｒ２)ｋ−ＯＨ]ｍに相当）を５５０部、下記一般式
【化１０】
の分岐アルコールのエチレンオキサイド(ＥＯ)２０モル付加物（ＨＯ−(Ｒ４−Ｏ)ｎ−Ｒ５に相当）を１９８部仕込み、次いで、８０℃に冷却しヘキサメチレンジイソシアネート（ＨＭＤＩ）（Ｒ３−(ＮＣＯ)ｈ＋１に相当）２９．６部を加え、窒素気流下８０〜１００℃に２時間反応させ、イソシアネートが０％であることを確認し、常温で淡黄色固体の反応生成物を得た。
【００６９】製造例Ａと同様にして、種々の疎水変性ポリエーテルウレタンを調製することができる。例えば、「表１」に示される製造例Ａ〜Ｇによる疎水変性ポリエーテルウレタンは、本発明に好適に用いることができる。
【００７０】
【表１】製造例Ａ〜Ｇ
」
（キ）「【００７５】温度安定性（粘度）
調整したサンプルを５０ｍｌ透明ガラス管に充填し、５０℃、３７℃、２５℃、０℃の各恒温槽に保存し、６ヵ月経時した後のサンプル状態（粘度）を観察した。粘度測定は、コーンプレート又は二重円筒型粘度計を用い、２５℃、１ｓ−１及び１００ｓ−１における見かけの粘度を求めた。評価は以下のとおりに行った。
「評価」
Ａ：当初粘度（25℃）と比較し各温度サンプル粘度が１０％以下の変化
Ｂ：当初粘度（25℃）と比較し各温度サンプル粘度が２０％以下の変化
Ｃ：当初粘度（25℃）と比較し各温度サンプル粘度が３０％以下の変化
Ｄ：当初粘度（25℃）と比較し各温度サンプル粘度が３０％より大きい変化」
（ク）「【００７８】
【表４】「実施例１２〜１４、比較例７〜９：コンディショニングシャンプー」
【００７９】上記検討より、本発明の毛髪処理剤組成物は、良好な塗布時感触、乾燥後の毛髪の感触、温度安定性を有することが分かる。」
（ケ）「【００８０】
【表５】「実施例１５〜２０：リンス」
【００８１】上記検討より本発明の組成物に配合する疎水変性ポリエーテルウレタンの配合量は、０．１〜１０重量％が望ましいことが分かる。また、表２〜５の結果から、優れた塗布時感触を得るためには、粘度が２５℃、１ｓ−１で１〜１０Ｐａ・ｓ、２５℃、１００ｓ−１で０．１〜１Ｐａ・ｓであることが好ましいことが分かる。」
（コ）甲３に記載された発明
　ここで、甲３には、上記（ク）及び（ケ）の記載事項からみて、以下の発明が記載されている。
　
「以下の組成からなる、粘度２５℃１Ｓ−１で９．０、２５℃１００Ｓ−１で０．４０のコンディショニングシャンプー
　　　　　　　　　　　　　　　　　　　　　　　　　　　　（質量％）
Ｎ−ココイル−Ｎ−メチルタウリンナトリウム　　　　　　　　９．０
ヤシ脂肪酸アミドプロピルベタイン　　　　　　　　　　　　　３．０
塩化ステアリルトリメチルアンモニウム　　　　　　　　　　　０．１５
ステアリルアルコール　　　　　　　　　　　　　　　　　　　１．０
パルミチン酸　　　　　　　　　　　　　　　　　　　　　　　０．１
化合物Ａ　　　　　　　　　　　　　　　　　　　　　　　　　１．０　
精製水　　　　　　　　　　　　　　　　　　　　　ｔｏ　　　１００　」
（以下、「甲３−１発明」という。）
「以下の組成からなる、粘度２５℃１Ｓ−１で７．０、２５℃１００Ｓ−１で０．３５のリンス
　　　　　　　　　　　　　　　　　　　　　　　　　　　　（質量％）
塩化ステアリルトリメチルアンモニウム　　　　　　　　　　　１．０
ステアリルアルコール　　　　　　　　　　　　　　　　　　　３．０
パルミチン酸　　　　　　　　　　　　　　　　　　　　　　　１．０
化合物Ａ　　　　　　　　　　　　　　　　　　　　　　　　　５．０　　Ｌ−グルタミン酸　　　　　　　　　　　　　　　　　　　　　０．１
精製水　　　　　　　　　　　　　　　　　　　　　ｔｏ　　　１００　」
（以下、「甲３−２発明」という。）
「以下の組成からなる、粘度２５℃１Ｓ−１で１２．３、２５℃１００Ｓ−１で０．４４のリンス
　　　　　　　　　　　　　　　　　　　　　　　　　　　　（質量％）
塩化ステアリルトリメチルアンモニウム　　　　　　　　　　　１．０
ステアリルアルコール　　　　　　　　　　　　　　　　　　　３．０
パルミチン酸　　　　　　　　　　　　　　　　　　　　　　　１．０
化合物Ａ　　　　　　　　　　　　　　　　　　　　　　　　１０．０　　Ｌ−グルタミン酸　　　　　　　　　　　　　　　　　　　　　０．１
精製水　　　　　　　　　　　　　　　　　　　　　ｔｏ　　　１００　」
（以下、「甲３−３発明」という。）
ウ　甲１、甲４〜７に記載された事項
（ア）甲１に記載された事項
甲１には、疎水変性ポリエーテルウレタンを配合した増粘性組成物の記載があり（特許請求の範囲）、該疎水変性ポリエーテルウレタンについて、
「【００２０】
＜（ａ）成分＞
　本発明に用いられる（ａ）成分は下記式（I）で表される疎水変性ポリエーテルウレタンである。該コポリマーは会合性増粘剤である。会合性増粘剤は、親水基部を骨格とし、末端に疎水性部分をもつコポリマーであり、水性媒体中でコポリマーの疎水性部分同士が会合し増粘作用を示すものをいう。このような会合性増粘剤は、図１に示すように水性媒体中でコポリマーの疎水性部分同士が会合し、親水部がループ状、ブリッジ状をなし、増粘作用を示す。
【００２１】
」との記載もある。また、【００６１】に当該ポリエーテルウレタンの市販品として、「アデカノールＧＴ−７００」（旭電化工業（株）製）があること、【００８５】に当該増粘性組成物は、化粧料として用いられること、も記載されている。
（イ）　甲４に記載された事項
　甲４には、段落【００１６】に、「ＰＥＧ−２４０（分子量１１０００）」との記載がある。
（ウ）　甲５に記載された事項
　甲５には、ポリエーテルウレタン増粘剤を含有する化粧料製剤が記載されており（特許請求の範囲）、段落【００２７】に
「工業的適用
本発明に従ってポリエーテルウレタンで増粘する化粧用製剤は、皮膚および毛髪のケア、保護および清浄に使用する。従って該製剤は、化粧用および／または医薬用製剤、例えば ヘアシャンプー、ヘアローション、発泡浴剤、シャワー浴剤、クリーム、ゲル、ローション、アルコール性および水性／アルコール性の溶液、エマルジョン、ワックス／脂肪配合物、スティック状製剤、パウダーまたは軟膏である。・・・」
と記載されている。
（エ）　甲６に記載された事項
　甲６には、疎水変性ポリエーテルウレタンを配合した乳化化粧料が記載されており（特許請求の範囲）、また、段落【００６２】に、
「乳化化粧料の剤型としては、ややとろみのあるジェル状、乳液状等が好適剤型として挙げられる。化粧料の具体例としては、例えば、保湿ジェル、マッサージジェル、美容液、化粧水、乳液、メーキャップ化粧料、サンケア用品、ヘアセット剤やヘアジェル等の毛髪化粧料、染毛剤、 ボデイケア用品等に好ましく適用される。」
と記載されている。
（オ）　甲７に記載された事項
　甲７には、段落【００５６】に、
「本発明の水中油型乳化化粧料は、特に限定されないが、形状として液状、半固形状、固形状のものが挙げられる。また、製品形態としては、洗顔フォーム・クリーム、クレンジング、マッサージクリーム、パック、化粧水、乳液、クリーム、美容液、化粧下地、日焼け止めなどの皮膚用化粧料、ファンデーション、白粉、アイシャドウ、アイライナー、マスカラ、アイブロウ、コンシーラー、口紅、リップクリーム等の仕上げ用化粧料、ヘアミスト、シャンプー、リンス、トリートメント、ヘアトニック、ヘアクリーム、ポマード、チック、液体整髪料、セットローション、ヘアスプレー、等の頭髪用化粧料などを例示することができる。この中でも、日焼け止め、ファンデーション、化粧下地等が本発明の効果が発揮されやすい水中油型乳化化粧料である。」
と記載されている。
（３）対比・判断
ア　甲３に記載された発明を主引例発明とした場合
（ア）本件特許発明１について
ａ　甲３−１発明に対して
　甲３−１発明における「パルミチン酸」は本件特許発明１における「脂肪酸又はその塩」に相当し、その含有量は、本件特許発明１における含有量の範囲内であり、パルミチン酸のモル含有量は、化合物Ａ１ｇに対する割合を計算すると約０．３９ミリモルであるから、本件特許発明１における０．３３ミリモル〜０．８ミリモルの範囲内である点において、一致する。
　また、「精製水」は、本件特許発明１における「水」に相当する。
　さらに、甲３−１発明における「ステアリルアルコール」及び「パルミチン酸」は、本件特許発明１における「２５℃の水に対する溶解量が１質量％以下の液体成分」に相当するところ、甲３−１発明における「２５℃の水に対する溶解量が１質量％以下の液体成分」の含有量は、本件特許発明１における１０質量％以下の範囲において一致する。
　また、本件特許発明１は、ＰＥＧ−２４０／デシルテトラデセス−２０／ヘキサメチレンジイソシアネート　コポリマー、脂肪酸又はその塩と、水以外の成分も含有することができるから、甲３−１発明に含まれる上記以外の成分を含む点は、両発明において相違点とはならない。
　さらに、甲３−１発明における化合物Ａは、ポリエチレングリコール（ＰＥＧ）（分子量約１１０００）Ｒ1−[(Ｏ−Ｒ2)k−ＯＨ]m、ただし、Ｒ1＝エチレン、Ｒ2＝エチレン、ｋ＝１２５、ｍ＝２に相当）と、下記一般式
【化１０】
の分岐アルコールのエチレンオキサイド(ＥＯ)２０モル付加物を１９８部仕込み、次いで、８０℃に冷却しヘキサメチレンジイソシアネート（ＨＭＤＩ）２９．６部を加え、窒素気流下８０〜１００℃に２時間反応させた反応生成物であるから（上記（１）イ（カ））、本件特許発明１の「ＰＥＧ−２４０／デシルテトラデセス−２０／ヘキサメチレンジイソシアネートコポリマー」とＰＥＧ／デシルテトラデセス−２０／ヘキサメチレンジイソシアネートコポリマーである点に限り一致する。
　そして、甲３−１発明における「コンディショニングシャンプー」は、その水の含有量を計算すると、８５．７５％であるから、本件特許発明１における「水性化粧料」に相当する。
　そうすると、本件特許発明１と甲３−１発明との一致点と相違点は以下のとおりである。
＜一致点＞
　「ＰＥＧ／デシルテトラデセス−２０／ヘキサメチレンジイソシアネートコポリマーと、脂肪酸又はその塩と、水とを含有し、ＰＥＧ／デシルテトラデセス−２０／ヘキサメチレンジイソシアネート コポリマーの含有量が、水性化粧料の全質量に対して、０．５質量％〜１５質量％であり、脂肪酸又はその塩の含有量が、脂肪酸換算で、水性化粧料の全質量に対して０．０１質量％〜５質量％であり、かつ、ＰＥＧ／デシルテトラデセス−２０／ヘキサメチレンジイソシアネートコポリマー１ｇに対して０．３３ミリモル〜０．８ミリモルであり、２５℃の水に対する溶解量が１質量％以下の液体成分の含有量が、水性化粧料の全質量に対して、１０質量％以下である水性化粧料。」
＜相違点１＞
　本件特許発明１は「２５℃で測定したときの硬度が５ｇ〜３００ｇであ」るのに対して甲３−１発明ではそのような特定がない点。
＜相違点２＞
　「ＰＥＧ／デシルテトラデセス−２０／ヘキサメチレンジイソシアネートコポリマー」におけるＰＥＧ部分の構造が、本件特許発明１では「ＰＥＧ−２４０」であるのに対して甲３−１発明では「ポリエチレングリコール（ＰＥＧ）（分子量約１１０００）Ｒ1−[(Ｏ−Ｒ2)k−ＯＨ]m、ただし、Ｒ1＝エチレン、Ｒ2＝エチレン、ｋ＝１２５、ｍ＝２に相当）」である点。
＜相違点３＞
　水性化粧料について、本件特許発明１は「ゲル状」水性化粧料であるのに対して甲３−１発明では「ゲル状」とは特定されていない点。
　以下、相違点について検討する。
（ａ）上述のとおり、甲３−１発明においては、「２５℃で測定したときの硬度が５ｇ〜３００ｇである」ことは特定されておらず、甲３−１発明の組成から「２５℃で測定したときの硬度が５ｇ〜３００ｇであ」ることは本願出願時の技術常識から導くことはできないから、本件特許発明１と甲３−１発明とは、相違点１において相違するものである。
　したがって、本件特許発明１は、甲３に記載された発明ではない。
（ｂ）　次に、念のため、相違点の容易想到性につき、相違点１について検討する。
　甲３は、粘度の温度安定性が高く、優れた流動特性を有し、乾燥後に、毛髪をなめらかでまとまりやすくし、優れた使用感を有する毛髪処理剤組成物を提供することを課題とし、当該課題を達成するために、「（Ａ）一般式（１）で表される疎水変性ポリエーテルウレタン」と「（Ｂ）カチオン性界面活性剤」を組み合わせて用いることに特徴がある（上記（１）イ（ア）、（カ）〜（ケ））。
　しかしながら、甲３に好ましい物性として２５℃で測定したときの硬度が５ｇ〜３００ｇであることが示唆されている訳ではないから、甲３−１発明について「２５℃で測定したときの硬度が５ｇ〜３００ｇであ」ることが動機づけられるとはいえず、当該硬度とすることは当業者が容易に想到しうることではない。
　以上のとおりであるから、相違点２、３について検討するまでもなく、本件特許発明１は、甲３−１発明及び甲３に記載された事項から当業者が容易に発明をすることができたものではない。
　
ｂ　本件特許発明１と甲３−２に記載された発明の対比　
　甲３−２発明における「パルミチン酸」は本件特許発明１における「脂肪酸又はその塩」に相当し、その含有量は、本件特許発明１における含有量の範囲内であり、パルミチン酸のモル含有量は、化合物Ａ１ｇに対する割合を計算すると約０．７８ミリモルであるから、本件特許発明１における０．３３ミリモル〜０．８ミリモルの範囲内である点において、一致する。
　また、「精製水」は、本件特許発明１における「水」に相当する。
　さらに、甲３−２発明における「ステアリルアルコール」及び「パルミチン酸」は、本件特許発明１における「２５℃の水に対する溶解量が１質量％以下の液体成分」に相当するところ、甲３−２発明における「２５℃の水に対する溶解量が１質量％以下の液体成分」の含有量は、本件特許発明１における１０質量％以下の範囲において一致する。
　また、本件特許発明１は、ＰＥＧ−２４０／デシルテトラデセス−２０／ヘキサメチレンジイソシアネート　コポリマー、脂肪酸又はその塩と、水以外の成分も含有することができるから、甲３−２発明に含まれる上記以外の成分を含む点は、両発明において相違点とはならない。
　さらに、甲３−２発明における化合物Ａは、ポリエチレングリコール（ＰＥＧ）（分子量約１１０００）Ｒ1−[(Ｏ−Ｒ2)k−ＯＨ]m、ただし、Ｒ1＝エチレン、Ｒ2＝エチレン、ｋ＝１２５、ｍ＝２に相当）と、下記一般式
【化１０】
の分岐アルコールのエチレンオキサイド(ＥＯ)２０モル付加物を１９８部仕込み、次いで、８０℃に冷却しヘキサメチレンジイソシアネート（ＨＭＤＩ）２９．６部を加え、窒素気流下８０〜１００℃に２時間反応させた反応生成物であるから（上記（１）イ（カ））、本件特許発明１の「ＰＥＧ−２４０／デシルテトラデセス−２０／ヘキサメチレンジイソシアネートコポリマー」とＰＥＧ／デシルテトラデセス−２０／ヘキサメチレンジイソシアネートコポリマーである点に限り一致する。
　そして、甲３−２発明における「リンス」は、その水の含有量を計算すると、８９．９％であるから、本件特許発明１における「水性化粧料」に相当する。
　そうすると、本件特許発明１と甲３−２発明との一致点と相違点は以下のとおりである。
＜一致点＞
　「ＰＥＧ／デシルテトラデセス−２０／ヘキサメチレンジイソシアネートコポリマーと、脂肪酸又はその塩と、水とを含有し、ＰＥＧ／デシルテトラデセス−２０／ヘキサメチレンジイソシアネート コポリマーが、水性化粧料の全質量に対して、０．５質量％〜１５質量％であり、脂肪酸又はその塩の含有量が、脂肪酸換算で、水性化粧料の全質量に対して０．０１質量％〜５質量％であり、かつ、ＰＥＧ／デシルテトラデセス−２０／ヘキサメチレンジイソシアネートコポリマー１ｇに対して０．３３ミリモル〜０．８ミリモルであり、２５℃の水に対する溶解量が１質量％以下の液体成分の含有量が、水性化粧料の全質量に対して、１０質量％以下である水性化粧料。」
＜相違点１＞
　本件特許発明１は「２５℃で測定したときの硬度が５ｇ〜３００ｇであ」るのに対して甲３−１発明ではそのような特定がない点。
＜相違点２＞
　「ＰＥＧ／デシルテトラデセス−２０／ヘキサメチレンジイソシアネートコポリマー」におけるＰＥＧ部分の構造が、本件特許発明１では「ＰＥＧ−２４０」であるのに対して甲３−２発明では「ポリエチレングリコール（ＰＥＧ）（分子量約１１０００）Ｒ1−[(Ｏ−Ｒ2)k−ＯＨ]m、ただし、Ｒ1＝エチレン、Ｒ2＝エチレン、ｋ＝１２５、ｍ＝２に相当）」である点。
＜相違点３＞
　水性化粧料について、本件特許発明１は「ゲル状」水性化粧料であるのに対して甲３−２発明では「ゲル状」とは特定されていない点。
　以下、相違点について検討する。
（ａ）上述のとおり、甲３−２発明においては、「２５℃で測定したときの硬度が５ｇ〜３００ｇである」ことは特定されておらず、甲３−２発明の組成から「２５℃で測定したときの硬度が５ｇ〜３００ｇであ」ることは本願出願時の技術常識から導くことはできないから、本件特許発明１と甲３−２発明とは、相違点１において相違するものである。
　したがって、本件特許発明１は、甲３に記載された発明ではない。
（ｂ）　次に、念のため、相違点の容易想到性につき、相違点１について検討する。
　甲３は、粘度の温度安定性が高く、優れた流動特性を有し、乾燥後に、毛髪をなめらかでまとまりやすくし、優れた使用感を有する毛髪処理剤組成物を提供することを課題とし、当該課題を達成するために、「（Ａ）一般式（１）で表される疎水変性ポリエーテルウレタン」と「（Ｂ）カチオン性界面活性剤」を組み合わせて用いることに特徴がある（上記（１）イ（ア）、（カ）〜（ケ））。
　しかしながら、甲３に好ましい物性として２５℃で測定したときの硬度が５ｇ〜３００ｇであることが示唆されている訳ではないから、甲３−２発明について「２５℃で測定したときの硬度が５ｇ〜３００ｇであ」ることが動機づけられるとはいえず、当該硬度とすることは当業者が容易に想到しうることではない。
　以上のとおりであるから、相違点２、３について検討するまでもなく、本件特許発明１は、甲３−２発明及び甲３に記載された事項から当業者が容易に発明をすることができたものではない。
ｃ　本件特許発明１と甲３−３に記載された発明の対比　
　甲３−２発明と、甲３−３発明とは、粘度及び化合物Ａの含有量が異なるものであり、パルミチン酸のモル含有量は、化合物Ａ１ｇに対する割合を計算すると約０．３９ミリモルとなる。
　そして、本件特許発明１と甲３−３発明の対比は、甲３−２発明との対比と同様になり、両発明の一致点と相違点は以下のとおりである。
＜一致点＞
　「ＰＥＧ／デシルテトラデセス−２０／ヘキサメチレンジイソシアネートコポリマーと、脂肪酸又はその塩と、水とを含有し、ＰＥＧ／デシルテトラデセス−２０／ヘキサメチレンジイソシアネート コポリマーが、水性化粧料の全質量に対して、０．５質量％〜１５質量％であり、脂肪酸又はその塩の含有量が、脂肪酸換算で、水性化粧料の全質量に対して０．０１質量％〜５質量％であり、かつ、ＰＥＧ／デシルテトラデセス−２０／ヘキサメチレンジイソシアネートコポリマー１ｇに対して０．３３ミリモル〜０．８ミリモルであり、２５℃の水に対する溶解量が１質量％以下の液体成分の含有量が、水性化粧料の全質量に対して、１０質量％以下である水性化粧料。」
＜相違点１＞
　本件特許発明１は「２５℃で測定したときの硬度が５ｇ〜３００ｇであ」るのに対して甲３−３発明ではそのような特定がない点。
＜相違点２＞
　「ＰＥＧ／デシルテトラデセス−２０／ヘキサメチレンジイソシアネートコポリマー」におけるＰＥＧ部分の構造が、本件特許発明１では「ＰＥＧ−２４０」であるのに対して甲３−３発明では「ポリエチレングリコール（ＰＥＧ）（分子量約１１０００）Ｒ1−[(Ｏ−Ｒ2)k−ＯＨ]m、ただし、Ｒ1＝エチレン、Ｒ2＝エチレン、ｋ＝１２５、ｍ＝２に相当）」である点。
＜相違点３＞
　水性化粧料について、本件特許発明１は「ゲル状」水性化粧料であるのに対して甲３−３発明では「ゲル状」とは特定されていない点。
　以下、相違点について検討する。
（ａ）上述のとおり、甲３−３発明においては、「２５℃で測定したときの硬度が５ｇ〜３００ｇである」ことは特定されておらず、甲３−３発明の組成から「２５℃で測定したときの硬度が５ｇ〜３００ｇであ」ることは本願出願時の技術常識から導くことはできないから、本件特許発明１と甲３−３発明とは、相違点１において相違するものである。
　したがって、本件特許発明１は、甲３に記載された発明ではない。
（ｂ）　次に、念のため、相違点の容易想到性につき、相違点１について検討する。
　相違点１については甲３−２発明の相違点１と同様の判断となり、甲３に好ましい物性として２５℃で測定したときの硬度が５ｇ〜３００ｇであることが示唆されている訳ではないから、甲３−３発明について「２５℃で測定したときの硬度が５ｇ〜３００ｇであ」ることが動機づけられるとはいえず、当該硬度とすることは当業者が容易に想到しうることではない。
　以上のとおりであるから、相違点２、３について検討するまでもなく、本件特許発明１は、甲３−３発明及び甲３に記載された事項から当業者が容易に発明をすることができたものではない。
ｄ　申立人の主張について
　申立人は、甲第３号証の実施例１４、１８、１９のコンディショニングシャンプー及びリンスについて、本件特許の出願の審査段階において提出された平成３１年３月２９日付の意見書における特許権者の説明により、本件増粘剤を０．５質量％〜１５質量％含み、脂肪酸又はその塩を脂肪酸換算で本件増粘剤１ｇに対し０．３３ミリモル〜０．８ミリモル含むことで、ゲル状水性化粧料の硬度が５ｇ〜３００ｇになると解されること（主張１）、及び、甲第３号証の実施例１４、１８、１９では塗布時感触の評価が優れているため、本件特許発明１で規定する硬度の範囲内の粘性を有すると考えられること、及び、化合物ＡがＰＥＧ−２４０／デシルテトラデセス−２０／ＨＤＭＩコポリマーとほぼ同じ物質であること（主張２）を主張している。
　しかしながら、主張１について、平成３１年３月２９日付の上記意見書は特定の脂肪酸塩を用いた特定の組成の組成物についてのデータに過ぎず、本件増粘剤１ｇに対し０．３３ミリモル〜０．８ミリモル含む組成物全ての硬度が５ｇ〜３００ｇになると解されるとはいえず、申立人の主張は採用できない。また、このことは、当審において通知した取消理由通知に対して提出された令和　３年　２月　５日差出の意見書における実験成績証明書（乙第１号証）において、本件増粘剤１ｇに対し０．３５４ミリモルの脂肪酸を含む組成物Ａの硬度が２ｇであったことにより裏付けられている。
　さらに、主張２について、申立人も「ほぼ同じ物質」と主張しているに過ぎないように、甲３−１〜甲３−３発明の化合物Ａのポリエチレングリコール（ＰＥＧ）が分子量１１０００であり、甲４にＰＥＧ−２４０（分子量１１０００）との記載があるとしても、本件特許発明１の「ＰＥＧ−２４０／デシルテトラデセス−２０／ＨＤＭＩコポリマー」と甲３−１〜甲３−３発明の化合物Ａとが同一物質であるとはいえない。
　したがって、申立人の主張は採用できない。
（イ）本件特許発明２〜１３について
ａ　本件特許発明４、５、８、１０について
　請求項１を直接又は間接的に引用する本件特許発明４、５、８、１０については、上記（ア）と同様の理由により、甲３に記載された発明ではない。
ｂ　本件特許発明２、３、６、７、９、１２、１３について
　請求項１を直接又は間接的に引用する本件特許発明２、３、６、７、９、１２、１３については、上記（ア）と同様の理由により、甲３に記載された発明及び技術常識（甲１、２，４〜７）に基づいて当業者が容易に発明をすることができたものではない。　
ｃ　本件特許発明１１について
　本件特許発明１１は、請求項１を直接引用するものであり、上記（ア）のとおり、本件特許発明１が、甲３に記載された発明に基づいて当業者が容易に発明をすることができたものではないところ、本件特許発明１１は、請求項１を直接引用して、「更に、アスタキサンチン及びリコピンから選ばれる少なくとも１つを含有する」ことが限定され、この点が甲３に記載された発明とのさらなる相違点となるから、本件特許発明１１について、前記さらなる異なる相違点に対して、甲３に記載された発明にさらに、甲２に記載された事項及び技術常識（甲１、４〜７）を組み合わせたとしても、当業者が容易に想到し得たものではない。
イ　甲２に記載された発明を主引用発明とした場合の対比・判断
（ア）　本件特許発明２について
　本件特許発明２と甲２発明を対比する。
　甲２発明の「（ＰＥＧ−２４０／デシルテトラデセス−２０／ＨＤＩ）コポリマー」、「オレイン酸」は、本件特許発明１における「ＰＥＧ−２４０／デシルテトラデセス−２０／ヘキサメチレンジイソシアネート　コポリマー」、「脂肪酸」にそれぞれ相当する。
　また、甲２発明における水の含有量は、「９１．８２質量％−香料の含有量−ダマスクバラ花油の含有量」である。ここで、引用発明において「ダマスクバラ花油」と「香料」の配合量は「適量」とされており、「精製水」の含有量は「残量」とされているものの、「ダマスクバラ花油」も「香料」も化粧料においてごく微量配合される成分であるという本件出願時の技術常識を参照すれば、「精製水」の含有量は明らかに５０質量％を上回るものであるから、甲２発明の「ジェリー様美容液」は、本件特許発明２における「ゲル状水性化粧料」に相当する。　
　また、甲２発明における「セラミドＩＩＩ」、「セラミドＶＩ」、「エチルヘキシルグリセリン」、「オレイン酸」、「メチルパラベン」、「ステアリン酸スクロース」、「オレイン酸ポリグリセリル−１０」、「ステアリン酸ポリグリセリル−２」、「アスタキサンチン」、「リコピン」、「ダマスクバラ花油」は、本件特許発明３における「２５℃の水に対する溶解量が１質量％以下の液体成分」に相当するところ、「ダマスクバラ花油」も「香料」も化粧料においてごく微量配合される成分であるという本件出願時の技術常識を参照すれば、甲２発明における「２５℃の水に対する溶解量が１質量％以下の液体成分」の含有量は、明らかに１０質量％以下であると認められる。
　そうすると、本件特許発明２と甲２発明との一致点と相違点は以下のとおりである。
＜一致点＞
「下記一般式（１）で表される化合物と、脂肪酸又はその塩と、水とを含有し、
　下記一般式（１）で表される化合物の含有量が、ゲル状水性化粧料の全質量に対して、０．５質量％〜１５質量％であり、
　下記一般式（１）で表される化合物は、ＰＥＧ−２４０／デシルテトラデセス−２０／ヘキサメチレンジイソシアネート コポリマーであり、
　脂肪酸又はその塩の含有量が、脂肪酸換算で、ゲル状水性化粧料の全質量に対して０．０１質量％〜５質量％であり、
　２５℃の水に対する溶解量が１質量％以下の液体成分の含有量が、ゲル状水性化粧料の全質量に対して、１０質量％以下であるゲル状水性化粧料。
【化１】
　一般式（１）中、Ｒ１は炭素数２〜３６でｍ価の炭化水素基を表し、Ｒ２及びＲ４は各々独立に炭素数１〜４で２価の炭化水素基を表し、Ｒ３はウレタン結合を有してもよい、直鎖、分岐鎖、又は脂肪族環若しくは芳香環を含むｈ＋１価の炭化水素基を表し、Ｒ５は２価の炭化水素基を表し、Ｒ６は水素原子又はヒドロキシ基を表す。ｍは２以上の整数であり、ｈは１以上の整数であり、ｋ及びｎは括弧内の構造の繰り返し数を表し、各々独立に０〜１０００の範囲の整数であり、ｋ及びｎの両方が０になることはない。」
＜相違点１＞
　本件特許発明２は、「２５℃で測定したときの硬度が１０ｇ〜２００ｇである」ことが特定されているのに対して、甲２発明では特定されていない。
＜相違点２＞
　本件特許発明２は、脂肪酸又はその塩の含有量は、一般式で示される化合物（１）の１ｇに対して０．４ミリモル〜０．７ミリモルの範囲内であることが特定されているのに対し、甲２発明は、オレイン酸の含有量は、（ＰＥＧ−２４０／デシルテトラデセス−２０／ＨＤＩ）コポリマー１ｇに対して約０．３５４ミリモルである。
　以下、相違点１について検討する。
　甲２には、ＰＥＧ−２４０／デシルテトラデセス−２０／ヘキサメチレンジイソシアネート コポリマー等を配合したゲル状化粧料の粘度や硬度についての記載がない。
　また、甲３には、粘度の温度安定性が高く、優れた流動特性を有し、乾燥後に、毛髪をなめらかでまとまりやすくし、優れた使用感を有する毛髪処理剤組成物が記載されており、甲２発明（ジェリー様美容液）と甲３に記載された毛髪処理剤組成物は異なる用途の化粧料にかかるものであり、その課題も異なるものであるから、甲２発明において、甲３に記載された事項を参照してその成分を調整することは当業者が容易に想到しうることではない。
　仮に甲２発明において、甲３に記載された事項を参照したとしても、甲２発明のジェリー様美容液について、その硬度を「２５℃で測定したときの硬度が１０ｇ〜２００ｇ」とする動機付けとなるような記載はなく、甲２発明において、その硬度を「２５℃で測定したときの硬度が１０ｇ〜２００ｇ」となるようにすることは当業者が容易に想到しうることではない。
　したがって、相違点２について検討するまでもなく、本件特許発明２は、甲２発明及び甲３に記載された事項に基づいて、当業者が容易に発明をすることができたものではない。
（イ）　本件特許発明３について
　本件特許発明３と甲２発明を対比する。
　本件特許発明３は、本件特許発明２よりも特定事項が少なく、「２５℃で測定したときの硬度が１０ｇ〜２００ｇである」ことのみを特定するものである。
　対比については、本件特許発明２と同様になり、本件特許発明３と甲２発明と一致点と相違点は以下のとおりである。
＜一致点＞
「下記一般式（１）で表される化合物と、脂肪酸又はその塩と、水とを含有し、
　下記一般式（１）で表される化合物の含有量が、ゲル状水性化粧料の全質量に対して、０．５質量％〜１５質量％であり、
　下記一般式（１）で表される化合物は、ＰＥＧ−２４０／デシルテトラデセス−２０／ヘキサメチレンジイソシアネート コポリマーであり、
　脂肪酸又はその塩の含有量が、脂肪酸換算で、ゲル状水性化粧料の全質量に対して０．０１質量％〜５質量％であり、かつ、下記一般式で表される化合物（１）１ｇに対して０．３３ミリモル〜０．８ミリモルであり、
　２５℃の水に対する溶解量が１質量％以下の液体成分の含有量が、ゲル状水性化粧料の全質量に対して、１０質量％以下であるゲル状水性化粧料。
【化１】
　一般式（１）中、Ｒ１は炭素数２〜３６でｍ価の炭化水素基を表し、Ｒ２及びＲ４は各々独立に炭素数１〜４で２価の炭化水素基を表し、Ｒ３はウレタン結合を有してもよい、直鎖、分岐鎖、又は脂肪族環若しくは芳香環を含むｈ＋１価の炭化水素基を表し、Ｒ５は２価の炭化水素基を表し、Ｒ６は水素原子又はヒドロキシ基を表す。ｍは２以上の整数であり、ｈは１以上の整数であり、ｋ及びｎは括弧内の構造の繰り返し数を表し、各々独立に０〜１０００の範囲の整数であり、ｋ及びｎの両方が０になることはない。」
＜相違点＞
　本件特許発明３は、「２５℃で測定したときの硬度が１０ｇ〜２００ｇである」ことが特定されているのに対して、甲２発明では特定されていない。
　
　以下、相違点について検討するに、本件特許発明２の相違点１と同様の判断となり、本件特許発明３は、甲２発明及び甲３に記載された事項に基づいて、当業者が容易に発明をすることができたものではない。
（４）まとめ
　よって、取消理由通知で採用しなかった特許異議申立理由の申立理由１及び申立理由２には理由がない。
第５　むすび
　以上のとおりであるから、取消理由通知に記載した取消理由及び特許異議申立書に記載した特許異議申立によっては、本件の請求項１〜１３に係る特許を取り消すことはできない。
　また、他に本件の請求項１〜１３に係る特許を取り消すべき理由を発見しない。
　よって、結論のとおり決定する。
【異議決定日】
令和３年４月１６日（２０２１．４．１６）